(57)【要約】      （修正有）【課題】水栓の配管接続時の施工において配管が水栓の接続構造本体の左右どちらに配置されていても、壁面に埋設されていても、壁面装飾用ボックスの外装に全く影響されることがなく、限られた配管用スペース内で配管することができる水栓の接続構造を提供する。【解決手段】方体形状又は立方体形状に枠組みされ、壁面取付部となる後面から長手方向の両端面２Ｂ，２Ｃにかけて延びる切り欠き部を有しているとともに上下に開口し、内部に配管用スペースＳを有するフレームと、このフレームの少なくとも前面を覆う化粧パネルと、フレームから操作部４Ａを突出させた状態で取付けられた湯水混合ユニット４と、この湯水混合ユニット４の給湯口５および給水口６にそれぞれ連通連結された可撓性の給湯管７および給水管８と、湯水混合ユニット４の吐出口９を吐水口１０に連通連結された吐水管とを備える。【選択図】図２
2020112015.tif 000002
【特許請求の範囲】
【請求項１】
直方体形状又は立方体形状に枠組みされ、壁面取付部となる後面から長手方向の両端面にかけて延びる切り欠き部を有しているとともに上下に開口し、内部に配管用スペースを有するフレームと、
このフレームの少なくとも前面を覆う化粧パネルと、
このフレームから操作部を突出させた状態で取付けられた水栓本体と、
この水栓本体の給水口に連通連結された可撓性の給水管と、
水栓本体の吐出口を吐水口に連通連結された吐水管とを備えることを特徴とする水栓の接続構造。
【請求項２】
前記給水口はそれぞれ回動自在に連通連結されたエルボ管を介して給水管に連通連結されている請求項１に記載の水栓の接続構造。
【請求項３】
前記吐出口は水栓本体の側面に形成され、前記吐水管は吐出口に回動自在に連通連結された複数のエルボ管と湾曲配管とを備える請求項１または請求項２に記載の水栓の接続構造。
【請求項４】
前記吐水口はフレームの下部に取り付けられ、フレームの下部において横方向に広がった吐水開口部と、この吐水開口部に連通する絞り部とを備える請求項１〜請求項３の何れかに記載の水栓の接続構造。
【発明の詳細な説明】
【技術分野】
【０００１】
本発明は、水栓の接続構造に関する。
【背景技術】
【０００２】
湯配管および水配管に接続されることにより湯および水の混合率の調整と吐水量の調整を行なうことができる水栓の接続構造として、シンクや洗面台の天面などに取り付けられた操作部を備えると共に、シンクの下部において湯配管および水配管の止水栓にそれぞれに連通連結される給湯口と給水口を備え、混合された温水を再びシンクの上部に吐出させる吐水口を備えるものがあった。この水栓の接続構造はシンクの下部において配管された湯配管および水配管に可撓管を連通連結させることにより湯および水の供給を行なっていた。
【０００３】
他方、湯配管および水配管が壁面に埋設されていることもあり、このような場合には壁面に埋設された湯配管および水配管の接続部に対して偏心管を用いて連通連結すると共に取り付けられるものがあった。つまり、偏心管は湯または水の配水管であると共に、水栓の接続構造を配管に物理的に固定することも行なっていた。
【先行技術文献】
【特許文献】
【０００４】
【特許文献１】特許第６３７４６２６号公報
【発明の概要】
【発明が解決しようとする課題】
【０００５】
ところで、水回りの改装を行なう時に既存の水栓の位置を変更したり、新たな位置に水栓を新設することがあるが、従来の壁面に埋設された配管を変更するためには多くの手間がかかる埋設管の変更を行なう必要があった。つまり、従来の水栓は水栓と配管を繋ぐ壁面の配管の位置が限定されるため自由度がなかった。そこで、本出願人は鋭意研究の結果、特許文献１に示される壁面装飾用ボックスの発明を行い、特許されるに至っている。
【０００６】
しかしながら、特許文献１の壁面装飾用ボックスの設置によって形成される配管用スペースには限りがあり、その内部にとりわけ湯水混合栓を収容すると共に、湯および水の配管を配置することは難しかった。
【０００７】
本発明は上述の事柄を考慮に入れてなされたものであり、水栓の配管接続時の施工において配管が水栓の接続構造本体の左右どちらに配置されていても、壁面に埋設されていても、壁面装飾用ボックスの外装に全く影響されることがなく、限られた配管用スペース内で配管することができる水栓の接続構造を提供することを目的とする。
【課題を解決するための手段】
【０００８】
上記問題点を解決するために、第１発明は、直方体形状又は立方体形状に枠組みされ、壁面取付部となる後面から長手方向の両端面にかけて延びる切り欠き部を有しているとともに上下に開口し、内部に配管用スペースを有するフレームと、このフレームの少なくとも前面を覆う化粧パネルと、このフレームから操作部を突出させた状態で取付けられた水栓本体と、この水栓本体の給水口に連通連結された可撓性の給水管と、水栓本体の吐出口を吐水口に連通連結された吐水管とを備えることを特徴とする水栓の接続構造
を提供する。（請求項１）
【０００９】
前記フレームは壁面の前方に配管用スペースを形成するように、前面を化粧パネルで覆うことができるので、目隠しされた配管用スペース内において配管の接続を行なうことができる。また、フレームの形状は直方体形状又は立方体形状であるから、限られた占有容積の確保によって、化粧パネルとフレームによって囲われた配管用スペースをできるだけ大きく確保することができる。なお、本発明における直方体形状には正確に直方体形状であるもののみならず、ほぼ直方体形状に近いものも含まれている。同様に、立方体形状についても、正確な立方体形状およびほぼ立方体形状に近いものを含んでいる。
【００１０】
可撓性の給水管は、限られた容積を備える配管用スペース内において、配管が壁面に埋設されたものであっても、配管用スペース内の水栓本体の左右どちら側から配管されるものであっても、柔軟に対応して接続することができる。吐水管はフレーム下方に固定された吐出口に連通連結されているので、水栓本体によって水量が調節されて吐出口から吐水させることができる。
【００１１】
前記フレームはその上部に収容棚を形成するものであってもよい。また、フレーム内に照明器具が収容されていてもよい。この場合、照明器具による照明効果を十分に発揮させるために、化粧パネルに光透過性を持たせることが好ましい。
【００１２】
前記給水口はそれぞれ回動自在に連通連結されたエルボ管を介して給水管に連通連結されている場合（請求項２）には、給水口に回動自在に連通連結されたエルボ管は、給水口に連通連結される配管を略９０°曲げて任意の方向から行なうことができるので、容積の限られた配管用スペース内において配管流路の取り回しを容易に変更できる。
【００１３】
給水口とエルボ管の連結部分は、先端部にフランジを形成した筒状の内径拡大部分を備える雌中継管と、この内径拡大部分内に挿入されて連通流路を水密に連結すると共に中間部の外周にフランジを形成してなる雄中継管と、雄中継管および雌中継管の連結状態において両フランジの当接状態を保持するクリップとを備える管継手であることにより、可能な限り簡潔な構成で狭い配管用スペースを可能な限り有効に活用することができる。
【００１４】
前記吐出口は水栓本体の側面に形成され、前記吐水管は吐出口に回動自在に連通連結された複数のエルボ管と湾曲配管とを備える場合（請求項３）には、エルボ管によって短い距離内で吐水管の方向を変えると共に、湾曲配管によって水流を整えて吐水口に供給することができる。また、エルボ管と湾曲配管による吐水管は堅牢であり、水漏れなどの問題が発生することを防止できる。
【００１５】
前記吐水口はフレームの下部に取り付けられ、フレームの下部において横方向に広がった吐水開口部と、この吐水開口部に連通する絞り部とを備える場合(請求項４）には、吐水口に供給される水が、絞り部によって一旦水流を絞った後に横方向に広がった吐水開口部に流れることにより、フレームの下部において横方向に広がった状態で前方に吐水を行なうことができる。
【発明の効果】
【００１６】
上述したように、本発明によれば、水回りの改装を行なう場合に、元の水栓の構成に影響されることがなく、様々な配管が施された環境であっても、化粧パネルによって見栄え良くすると共に、配管用スペース内における自由な配管によって容易に接続工事を行なうことができる水栓の接続構造を提供することができる。
【図面の簡単な説明】
【００１７】
【図１】本発明の第１実施形態に係る水栓の接続構造の構成を示す平面図である。
【図２】前記水栓の接続構造の一部を透視して示す正面図である。
【図３】前記水栓の接続構造の水平断面図である。
【図４】前記水栓の接続構造の縦断面図である。
【図５】前記水栓の接続構造の一部を切断して示す側面図である。
【図６】前記水栓の接続構造の側面図である。
【図７】前記湯水混合栓の湯水混合ユニット用ソケットの縦断面図である。
【図８】両端に回動自在の管継手を形成したエルボ管を示す断面図である。
【図９】可撓管の構成を示す断面図である。
【図１０】前記水栓に用いるエルボ管とニップル管の組合わせを示す一部断面図である。
【図１１】湾曲配管の断面図である。
【図１２】吐水口の底面図である。
【図１３】吐水口の縦断面図である。
【図１４】前記水栓の接続構造への給湯管および給水管の接続例を示す図であり、（Ａ）〜（Ｂ）は様々な配管の配置例を示している。
【図１５】前記水栓の接続構造への給湯管および給水管のさらなる接続例を示す図であり、（Ａ）〜（Ｂ）はさらなる配管の配置例を示している。
【図１６】本願発明の第２実施形態に係る湯水混合栓の構成を示す図である。
【発明を実施するための形態】
【００１８】
以下、図１〜図１３を用いて本発明の実施の形態を図面に基づいて説明する。
図１〜図６に示すように、本発明の第1実施形態に係る水栓（シングルレバー式の湯水混合栓）の接続構造１は略直方体形状に枠組みされ、壁面Ｗへの取付部となる後面２Ａから長手方向の両端面２Ｂ，２Ｃにかけて延びる切り欠き部２Ｄを有しているとともに上下に開口し、内部に配管用スペースＳを有するフレーム２と、このフレーム２の両側面２Ｂ，２Ｃおよび前面２Ｆをそれぞれ覆う化粧パネル３Ａ〜３Ｃ（以下、区別が不要なときは単に化粧パネル３という）と、天面２Ｅから操作部４Ａ（本実施形態の場合、シングルレバー式の操作レバーであり、以下の説明では操作レバー４Ａという）を突出させた状態で取付けられた水栓本体（本例の場合は湯水混合ユニット）４と、この湯水混合ユニット４の給湯口５および給水口６にそれぞれ連通連結された可撓性の給湯管７および給水管８と、湯水混合ユニット４の吐出口９をフレーム２下方の吐水口１０に連通連結された吐水管１１とを備える。
【００１９】
前記フレーム２の形状は略直方体形状で天面２Ｅに平面視略円形の水栓取付凹部１２を形成し、この水栓取付凹部１２内に開口を形成している。また、フレーム２は前記切り欠き部２Ｄによって壁面Ｗへのフレームの取付けを容易とすると共に壁面に埋設された配管のみならず左右の何れの方向からも給水配管を接続できるように構成している。また、左右の化粧パネル３Ａ，３Ｂを取り除き、別のフレームを並べて配置することにより、配管用スペースＳを広げることも可能である。フレーム２の底面２Ｇには吐水口１０が取り付けられる平面と吐水口１０に吐水管１１を接続可能とする開口が形成されている。
【００２０】
湯水混合ユニット４は前記水栓取付凹部１２の形状にあわせて形成された湯水混合ユニット用ソケット１３（以下、単にソケット１３という）内に挿入された状態でソケット１３を凹部１２に固定することにより、その操作レバー４Ａをフレーム２から突出させた状態で取り付けることができる。
【００２１】
図７はソケット１３の形状を示す断面図であって、その形状は前記湯水混合ユニット４を嵌入する凹部１４と、この凹部１４内に湯水混合ユニット４を嵌入させた状態でその給湯口５および給水口６にそれぞれ連通連結させると共に、それぞれ下方に開放する内径拡大部分１５とその先端に形成されたフランジ１６を備えることにより、給湯口５および給水管６にそれぞれ連通連結するクリップ式の雌管継手１７を形成している。
【００２２】
他方、凹部１４内に嵌入させた湯水混合ユニット４の吐出口９にはＬ字状に方向転換させるように形成された内部流路１８を介して前記雌管継手１７よりも高い位置において横方向に設けたクリップ式の雄管継手１９に連通連結させている。また、この雄管継手１９は雌管継手の内径拡大部分内に挿入されて連通流路を水密に連結する雄中継管２０と、連結状態における水漏れを防止するＯリング２１と、雄管継手２０と雌管継手の連結状態において内径拡大部分の先端に形成されたフランジに当接するように雄中継管２０の外周に設けた中間フランジ２２とを形成している。
【００２３】
さらに、ソケット１３の上部外周には前記水栓取付凹部１２に形成された開口に当接する位置決め用のフランジ２３と、このフランジ２３を開口の縁部（または開口に取付けられたベースプレート）に当接させた状態でナット部材を螺合することにより挟み込み固定を可能とする雄ねじ２４とを備える。なお、図１，２，４，６に示す湯水混合ユニット４の化粧カバー４Ｂは例えば雄ねじ２４に螺合連結することによりフレーム２の天面２Ｅの開口を覆うことができるように構成している。
【００２４】
従って、このソケット１３をフレーム２の天面２Ｅの水栓取付凹部１２に設けた開口に取付けることにより、湯水混合ユニット４をフレーム２に対して所定の位置に取付けると共に、その給湯口５、給水口６、吐出口９をそれぞれの配管に連通連結させることができる。また、湯水混合ユニット４を取り替えるときも湯水混合栓１の上部からの簡単な作業によって交換作業を行なうことができる。
【００２５】
図８は前記クリップ式の雌管継手１７および雄管継手１９に連通連結されるエルボ管３０の例を示す断面図である。
図８に示すようにエルボ管３０は略Ｌ字状の内部流路３１と、この内部流路３１の一端側に連通連結された内径拡大部分３２を形成する雌中継管３３および雄中継管３３の先端に設けたフランジ３４からなる雌管継手３５と、雌管継手の内径拡大部分に嵌入することによりこれに連通連結される雄中継管３６およびこの雄中継管３６と雌中継管の連結状態で雌中継管の先端部に形成されたフランジに当接するフランジ３７を備える雄管継手３８とを形成する。また、３９は雄管継手３８を雌管継手に連結した状態で雄中継管３６の外周部と雌中継管の内周部の間の水密を保つことにより水漏れを防止するＯリングである。
【００２６】
上記構成のエルボ管３０を用いることにより、短い距離で流路を約直角に曲げることができるだけでなく、配管の連結部においては回動自在に支持することができる。従って、前記ソケット１３の給湯口５、給水口６、吐出口９に設けた雌管継手１７および雄管継手１９にエルボ管３０を接続することにより、スペースの限られた配管用スペースＳ内であっても無理なく配管を行なうことができる。
【００２７】
図９は本発明の湯水混合栓１に係る給湯管７および給水管８に用いられる可撓管４０の構成を示す一部断面図である。
図９に示す、可撓管４０は可撓性の配管４１の一端側にクリップ式の雄管継手４２、他端側に雌管継手４３を連通連結させたものである。なお、雄管継手４２は雄中継管４４とフランジ４５とＯリングと４６を備え、その詳細な構成はエルボ管３０の雄管継手３８の構成と同様である。同様に、雌管継手４３は内径拡大部分４７を備える雌中継管４８とフランジ４９とを備え、その詳細な構成はエルボ管３０の雌管継手３５の構成と同様である。
【００２８】
図１０は本発明の湯水混合栓１に用いるエルボ管とニップル管の組合わせを示す一部断面図である。
図１０においてエルボ管５０は略Ｌ字状の内部流路５１を備えると共に、この内部流路の５１の一端側にはクリップ式の雌管継手５２、他端側の外周には雌ネジ５３を形成している。他方ニップル管５５はその一端側に前記雄ネジ５３に嵌合する雌ネジ５６を形成し、他端側にはクリップ式の雌管継手５７を形成している。従って、エルボ管５０の雄ネジ５３にニップル管５５の雌ネジ５６を螺合連結することにより両端にクリップ式の雌管継手５２，５７が形成されたエルボ管とすることができる。なお、雌管継手５２，５７の構成は既に詳述した雌管継手１７，３５，４３と同様であるからその詳細な説明を省略する。
【００２９】
図１１は本発明の湯水混合栓１に係る湾曲配管６０の構成を示す図である。
図１１に示す湾曲配管６０は、約９０°湾曲させた配管６１の一端側にクリップ式の雌管継手６２、他端側に雄管継手６３を形成したものである。なお、雌管継手６２、雄管継手６３の構成は既に詳述した雌管継手１７，３５，４３，５２，５７、雄管継手１９，３８，４２と同様である。
【００３０】
図１２，１３は本発明の湯水混合栓１に係る吐水口１０の詳細な構成を示す図である。
図１２，１３に示すように吐水口１０はフレーム２の下部（底面２Ｇ）に取付けられて、フレーム２の下部において横方向に広がった吐水開口部７１と、この吐水開口部７１に連通する絞り部７２と、この絞り部７２に連通する雄管継手７３とを備えるものである。また、絞り部７２と吐水開口部７１の間には横方向に広がった横長水路７４を形成している。
【００３１】
従って、吐水管１１を介して雄管継手７３に供給された混合水は一旦絞り部７２において絞り込まれた後に横方向に広がった吐水開口部７１に開放されるので、程よく横方向に広がった吐水を行なわせることができる。また、吐水量が少ないときにも横長水路７４を介して吐水が行なわれるので、横方向に広がった柔らかな吐水を行なわせることができるように構成している。
【００３２】
図２に示すように本発明の湯水混合栓１においては、給湯口５、給水口６に給湯管７、給水管８を連結する部分においてそれぞれエルボ管３０を介して連通連結させているので、ソケット１３側の雌管継手１７とエルボ管３０側の雄管接手３８の間で、回動自在に連結できるので可撓管からなる給湯管７、給水管８と合わせて自由な配管を行なうことができ、湯および水の配管が壁面Ｗに埋設されたものであっても、湯水混合栓１の左右どちら側から配管されたものであっても柔軟に対応して配管接続を行なうことができる。なお、Ｃは各雄継手と雌継手の接続状態においてフランジ同士を当接した状態で保持するクリップである。
【００３３】
他方、ソケット１３の側面から突出させるように形成された雄管接手１９にはエルボ管３０、エルボ管５０、ニップル管５５、湾曲配管６０、エルボ管３０をこの順に接続された一連の配管によって吐水管１１を形成している。この場合も、エルボ管３０，５０，３０によって短い距離で直角に流路を変えることができるので、限られた配管用スペースＳ内における配管の接続を容易とすることができると共に、クリップＣを用いた連結部において回動自在に取付けられるので、混合水吐水用の雄管継手１９と吐水口１０の位置関係に自由度を持たせて吐水管１１によって連結することができる。
【００３４】
とりわけ、給湯口５、給水口６に連通連結される雌管継手１７に対して、吐出口９に連通連結される雄管継手１９の高さを高い位置において横方向に吐出させるように設けているので雄管継手１７に接続されるエルボ管３０と、雄管継手１９に接続されるエルボ管３０が互いに干渉することなく取付けることができる。また、エルボ管３０，５０，湾曲配管６０を用いた吐水管１１は各連結部が堅牢であるから信頼性が高い。
【００３５】
図１４，１５は第１実施形態の湯水混合栓１を用いた配管の配置例を示すものであり、図１４（Ａ）は、湯は図示右側、水は図示左側から配管されている例を示している。この場合、フレーム２にはその前面２Ｆにだけ化粧パネル３が取付けられ、左右の端面２Ｂ，２Ｃにはその切り欠き部２Ｄを介して配管が通されるので別のフレーム２が配置されることにより配管用スペースＳを左右に広げると共に、左右のフレームによって収容棚を形成することができる。
【００３６】
図１４（Ｂ）に示す例では、壁面Ｗに水側の配管が埋設されている場合の配管の配置例を示している。壁面Ｗに埋設された水の配管に連通連結させるために給水管８となる可撓管を大きく曲げて接続することになるが、このとき、エルボ管３０が給水口に連通連結された状態で回動自在に構成されているので、給水管８に無理な力をかけることなく、限られた配管用スペースＳ内における配置を行なうことができる。
【００３７】
なお、図示は省略するが壁面Ｗに湯側の配管が埋設されている場合にも同様に、湯側の配管が配置されている場所Ｗａがフレーム２によって覆われた配管スペースＳ内であれば、給湯管７を容易に湾曲させて配置することができる。この場合、フレーム２はその左右両側に化粧パネル３Ａ，３Ｂを設けることにより見栄えを良くすることができる。
【００３８】
図１５（Ａ）、１５（Ｂ）に示す例では、湯および水の配管がフレーム２の左側または右側から配管されている場合の配置例を示している。この場合、給湯管７および給水管８が両方ともフレーム２の左側または右側に配置されており、前記エルボ管３０が大きく回動することにより無理なストレスをかけることなく可撓管の配置を行なうことができる。また、これらの場合、配管を設けない方のフレーム２側面は化粧パネル３で覆うことにより見栄えを良くすることができ、配管を設ける方にはフレーム２を隣接させて収容棚をけいせいさせることができる。
【００３９】
図１６は本発明の第２実施形態の水栓の接続構造に係る温調型の湯水混合栓８０の例を示す図である。
図１６に示す湯水混合栓８０は、第１操作部としての湯および水の混合比を温度設定する温度調節ハンドル８２と、第２操作部としての混合水の吐水量を調節する吐水量調節ハンドル８１と、吐水口としてのシャワーヘッド８３とをフレーム２の天面２Ｅから突出させた状態で取付けられており、吐水管８４は温調型の湯水混合ユニットの吐出口とシャワーヘッド８２を連通連結させる可撓管であり、この吐水管８４はフレーム２の天面２Ｅに設けた貫通孔８５を進退可能に貫通する。
【００４０】
本実施形態の湯水混合栓８０に隣接するフレーム２Ｗには大小の収容棚８６を形成しており、この湯水混合栓８０を浴室に配置する場合において利便性を向上させることができる。本実施形態においてもフレーム２によって確保させる配管用スペースＳにおいても、水栓本体の給水口に可撓性の給水管が回動自在に連通連結されたエルボ管を介して接続されることにより、任意の配管の配置を行なうことができるので、配管の接続構造に自由度が高く壁面Ｗに配管が埋設された環境であっても、湯水混合栓８０の左右のどちら側からどのような形で湯および水の配管がされている環境であっても、あらゆる環境において設置することが可能となる。
【００４１】
とりわけ、水回りの改装時において従来の水栓の形態に全く依存されることなく、見栄えの良い湯水混合栓８０の設置を行なうことができる。
【００４２】
なお、上述の各実施形態において、水栓は湯水混合栓である例を示しているが、本発明は水栓本体が湯水混合栓であることに限られるものではなく、湯または水の単水栓を形成するものであってもよいことはいうまでもない。
【符号の説明】
【００４３】
１  水栓の接続構造
２  フレーム
２Ａ  後面
２Ｂ，２Ｃ  両端面
２Ｄ  切り欠き部
２Ｅ  天面
２Ｆ  前面
２Ｇ  底面
３  化粧パネル
４  湯水混合ユニット
５  給湯口
６  給水口
７  給湯管
８  給水管
９  吐出口
１０  吐水口
１１  吐水管
３０，５０  エルボ管
４０  可撓管
６０  湾曲配管
７１  吐水開口部
７２  絞り部
Ｓ  配管用スペース
【図１】
2020112015.tif 000003
【図２】
2020112015.tif 000004
【図３】
2020112015.tif 000005
【図４】
2020112015.tif 000006
【図５】
2020112015.tif 000007
【図６】
2020112015.tif 000008
【図７】
2020112015.tif 000009
【図８】
2020112015.tif 000010
【図９】
2020112015.tif 000011
【図１０】
2020112015.tif 000012
【図１１】
2020112015.tif 000013
【図１２】
2020112015.tif 000014
【図１３】
2020112015.tif 000015
【図１４】
2020112015.tif 000016
【図１５】
2020112015.tif 000017
【図１６】
2020112015.tif 000018